(57)【要約】 【課題】カメラで撮影した画像と原稿画像との合成画像を出力可能な画像形成装置において、希望の合成画像を取得するまでの手間を軽減すること、および画像形成装置のセキュリティを高めること。【解決手段】レイアウト設定手段３１は、スキャナ部１１で読み込んだ原稿画像にカメラ１４が撮影した画像を合成する際のレイアウトの設定変更を、原稿画像を背景にした現在のレイアウトを表示部１３に表示しながら受け付ける。画像合成部２０は、このレイアウトに従って原稿画像と現在のカメラ画像とをリアルタイムに合成した合成画像を表示部１３に表示する。操作者が合成画像を確認しながら「取り込み釦」を操作すると、画像取込手段２１がその時点の合成画像を静止画像として取り込み、この合成画像を画像印刷部５０が印刷出力する。【選択図】図１
2005086385.tif 000002
【特許請求の範囲】
【請求項１】
静止画像を取り込む画像入力手段と、
撮影中の画像に対応する画像信号を逐次出力するカメラと、
前記画像入力手段が取り込んだ静止画像と前記カメラが撮影中の画像とを指定のレイアウトに従って逐次合成する合成手段と、
前記合成手段の出力する合成画像を逐次表示する表示手段と、
取り込み指示の入力に基づいて前記合成画像を静止画像として取り込む取込手段と、
前記取込手段が取り込んだ静止画像を出力する出力手段と
を有する
ことを特徴とする画像形成装置。
【請求項２】
静止画像を取り込む画像入力手段と、
撮影中の画像に対応する画像信号を逐次出力するカメラと、
前記画像入力手段が取り込んだ静止画像に前記カメラが撮影した画像を合成する際のレイアウトの設定変更を、前記画像入力手段が取り込んだ静止画像を背景にして現在のレイアウトを表示しながら受け付けるレイアウト設定手段と、
前記画像入力手段が取り込んだ静止画像と前記カメラが撮影中の画像とを前記レイアウト設定手段によって設定されたレイアウトに従って逐次合成する合成手段と、
前記合成手段の出力する合成画像を逐次表示する表示手段と、
取り込み指示の入力に基づいて前記合成画像を静止画像として取り込む取込手段と、
前記取込手段が取り込んだ静止画像を出力する出力手段と
を有する
ことを特徴とする画像形成装置。
【請求項３】
前記レイアウト設定手段を通じて設定されたレイアウトを保存するレイアウト保存手段を備え、
前記合成手段は、前記レイアウト保存手段に保存されているレイアウトを用いて画像を合成し得る
ことを特徴とする請求項２に記載の画像形成装置。
【請求項４】
静止画像を取り込む画像入力手段と、
撮影中の画像に対応する画像信号を逐次出力するカメラと、
前記カメラが撮影している画像を逐次表示する表示手段と、
前記カメラが撮影している画像を取り込み指示の入力に基づいて静止画像として取り込む画像取込手段と、
画像を合成する際に使用するレイアウトが保存されたレイアウト保存手段と、
前記画像入力手段が取り込んだ静止画像と前記画像取込手段が取り込んだ静止画像とを指示されたレイアウトに従って合成する合成手段と、
前記合成手段で合成して得た合成画像を出力する出力手段と、
これらの動作を制御する制御手段とを備え、
前記制御手段は、前記レイアウト保存手段に保存されている所定のレイアウトを用いて画像を合成する旨の実行指示の入力に基づいて、前記画像取込手段によって前記カメラから静止画像を取り込み、かつ前記画像入力手段で静止画像を取り込み、この静止画像と前記カメラから取り込んだ静止画像とを前記所定のレイアウトに従って前記合成手段で合成し、その合成画像を前記出力手段によって出力するまでの一連の動作を実行する
ことを特徴とする画像形成装置。
【請求項５】
静止画像を取り込む画像入力手段と、
前記画像入力手段によって静止画像を取り込む動作を含む所定のジョブを実行するジョブ実行手段と
前記ジョブの実行指示を受け付ける実行指示受付手段と、
カメラと、
前記実行指示受付手段がジョブの実行指示を受け付けたとき、前記カメラで撮影し、かつ前記ジョブの実行過程で前記画像入力手段が取り込んだ静止画像と前記カメラで撮影した静止画像とを互いに関連付けて保存する保存手段と、
を有する
ことを特徴とする画像形成装置。
【請求項６】
静止画像を取り込む画像入力手段と、
前記画像入力手段によって静止画像を取り込む動作を含む所定のジョブを実行するジョブ実行手段と
前記ジョブの実行指示を受け付ける実行指示受付手段と、
カメラと、
前記実行指示受付手段がジョブの実行指示を受け付けたとき、前記カメラで撮影し、かつ前記ジョブの実行過程で前記画像入力手段が取り込んだ静止画像と前記カメラで撮影した静止画像とを合成する合成手段と、
前記合成手段の出力する合成画像を保存する保存手段と、
を有する
ことを特徴とする画像形成装置。
【請求項７】
前記カメラは、当該装置の操作者を撮影するものである
ことを特徴とする請求項５または６に記載の画像形成装置。
【請求項８】
前記画像入力手段が、１次元撮像素子を走査させて２次元画像を取り込むスキャナ装置である
ことを特徴とする請求項１、２、３、４、５、６または７に記載の画像形成装置。
【発明の詳細な説明】
【技術分野】
【０００１】
本発明は、複数の画像入力装置から入力した複数の画像を合成して出力することのできる画像形成装置に係り、特にスキャナ部で読み取った原稿画像とカメラで撮影した画像との合成画像を記録紙上に形成して出力することのできる画像形成装置に関する。
【背景技術】
【０００２】
複写機などの画像形成装置に外部装置から画像データを入力する機能を設け、電子スチルカメラなどから撮影済みの画像データを入力し、この画像とスキャナ部で読み取った原稿画像とを合成し、その合成画像を記録紙上に形成して出力する機能を備えた画像形成装置が提案されている（たとえば、特許文献１参照。）。
【０００３】
また複写機等の操作表示部には従来から液晶ディスプレイが使用されているが、近年、大型の液晶ディスプレイが安価に提供されるようになり、原稿画像を表示し得るほど大型ディスプレイの搭載が現実化しつつある。
【０００４】
【特許文献１】特開平９−１８６８５１号公報
【発明の開示】
【発明が解決しようとする課題】
【０００５】
上述の画像形成装置では、スキャナ部で読み取った原稿画像と合成し得る画像は電子スチルカメラなどで予め撮影した画像に限られているので、合成する画像を予めカメラで撮影しておかなければならず、合成前の準備に手間がかかった。
【０００６】
また、合成する画像をカメラで撮影する時点で原稿画像と合成した際の仕上がり具合を確認できないので、満足な合成結果を得るまでに、カメラで撮影し、その画像データを画像形成装置に入力し、原稿画像を読み取ってカメラ画像と合成し、この合成画像を出力して仕上がりを確認するという一連の作業が繰り返し行なわれる場合があった。
【０００７】
このほか機密原稿の不正コピー等に対するセキュリティを高めることも重要であり、効果的な保護方法が望まれている。
【０００８】
本発明は、このような事情に鑑み、カメラで撮影した画像と原稿画像との合成画像を出力可能な画像形成装置において希望の合成画像を取得するまでの手間を軽減すること、および画像形成装置のセキュリティを高めることを解決課題にするものである。
【課題を解決するための手段】
【０００９】
請求項１に係る発明は、静止画像を取り込む画像入力手段（１１）と、
撮影中の画像に対応する画像信号を逐次出力するカメラ（１４）と、
前記画像入力手段（１１）が取り込んだ静止画像と前記カメラ（１４）が撮影中の画像とを指定のレイアウトに従って逐次合成する合成手段（２０）と、
前記合成手段（２０）の出力する合成画像を逐次表示する表示手段（１３）と、
取り込み指示の入力に基づいて前記合成画像を静止画像として取り込む取込手段（２１）と、
前記取込手段（２１）が取り込んだ静止画像を出力する出力手段（５０）と
を有する
ことを特徴とする画像形成装置である。
【００１０】
上記発明によれば、画像入力手段（１１）が取り込んだ静止画像とカメラ（１４）が撮影中の画像とを指定のレイアウトに従って逐次合成し、かつその合成画像を逐次表示する。そして取り込み指示が入力されると、そのときの合成画像を静止画像として取り込むようになっている。これにより、合成結果を表示画面で確認しながら被写体を撮影することができ、希望の合成画像の取得が容易になる。また、予めカメラ（１４）で撮影したものを用意する必要がなく、合成画像を作成するための前準備の負担が軽減される。たとえば、記入済みの会員カードや履歴書をスキャナ（１１）で読み取り、操作者をカメラ（１４）で撮影し、これらの合成画像を生成出力することで、写真入りの会員カードや写真入りの履歴書等を得ることができる。
【００１１】
画像入力手段（１１）は静止画像を取り込めるものであればよく、画像信号を出力するカメラ（１４）やスキャナなどを利用することができる。カメラ（１４）は２次元撮像素子を使用し、受光面上の像に対応した画像信号を逐次出力するものがよい。カメラ（１４）は２台以上設置してもよい。２台以上の場合は、各カメラ（１４）からの画像をすべて合成画像に含めてもよいし、一部のカメラ（１４）だけを選択して合成画像に含め得るように構成してもよい。表示手段（１３）には、液晶ディスプレイやプラズマディスプレイ、ＣＲＴディスプレイなど各種の表示装置を利用することができる。カメラ（１４）、画像入力手段（１１）、表示手段（１３）はそれぞれカラーでもモノクロでもよい。
【００１２】
取り込み指示は、表示手段（１３）の合成画像を確認しながら操作者が釦を操作すること等により入力される。合成画像を静止画像として取り込むとき、合成画像そのものを静止画像として取り込むほか、合成画像に含まれる各静止画像とこれらを合成する際のレイアウトとを関連付けて取り込むように構成してもよい。出力手段（５０）は、合成画像の静止画像を記録紙上に印刷するもののほか、静止画像に対応する画像データを所定の媒体や通信回線を通じて外部に出力するものであってもよい。
【００１３】
請求項２に係る発明は、静止画像を取り込む画像入力手段（１１）と、
撮影中の画像に対応する画像信号を逐次出力するカメラ（１４）と、
前記画像入力手段（１１）が取り込んだ静止画像に前記カメラ（１４）が撮影した画像を合成する際のレイアウトの設定変更を、前記画像入力手段（１１）が取り込んだ静止画像を背景にして現在のレイアウトを表示しながら受け付けるレイアウト設定手段（３０）と、
前記画像入力手段（１１）が取り込んだ静止画像と前記カメラ（１４）が撮影中の画像とを前記レイアウト設定手段（３０）によって設定されたレイアウトに従って逐次合成する合成手段（２０）と、
前記合成手段（２０）の出力する合成画像を逐次表示する表示手段（１３）と、
取り込み指示の入力に基づいて前記合成画像を静止画像として取り込む取込手段（２１）と、
前記取込手段（２１）が取り込んだ静止画像を出力する出力手段（５０）と
を有する
ことを特徴とする画像形成装置である。
【００１４】
上記発明によれば、画像入力手段（１１）が取り込んだ静止画像にカメラ（１４）が撮影した画像を合成する際のレイアウトの設定変更を、画像入力手段（１１）が取り込んだ静止画像を背景にして現在のレイアウトを表示しながら受け付ける。これにより使用者は、合成画像の背景になる静止画像の上でカメラ画像の合成位置や大きさを確認しながらレイアウトを設定変更することができ、的確・迅速なレイアウト設定が可能になる。
【００１５】
リアルタイムでのレイアウト表示は、画像入力手段（１１）で取り込んだ静止画像の上にカメラ（１４）で撮影中の画像を直接合成したものであってもよいし、静止画像の上に合成領域を枠などで表示するものであってもよい。レイアウト表示は、合成画像を表示するための表示手段（１３）等で行なわれる。レイアウト表示用に別の表示装置を設けてもよい。
【００１６】
請求項３に係る発明は、前記レイアウト設定手段（３０）を通じて設定されたレイアウトを保存するレイアウト保存手段（４１、４２）を備え、
前記合成手段（２０）は、前記レイアウト保存手段（４１、４２）に保存されているレイアウトを用いて画像を合成し得る
ことを特徴とする請求項２に記載の画像形成装置である。
【００１７】
上記発明によれば、レイアウト設定手段（３０）によって設定したレイアウトをレイアウト保存手段（４１、４２）で保存し、合成手段（２０）は、レイアウト保存手段（４１、４２）に保存されているレイアウトを呼び出して再利用することが可能になる。保存可能なレイアウトは１種類でも複数種類保存可能であってもよい。複数種類保存可能な場合には、再利用するレイアウトを選択する機能を設ける。レイアウトの選択時に、そのレイアウトのサンプル画像を表示するとよい。
【００１８】
請求項４に係る発明は、静止画像を取り込む画像入力手段（１１）と、
撮影中の画像に対応する画像信号を逐次出力するカメラ（１４）と、
前記カメラ（１４）が撮影している画像を逐次表示する表示手段（１３）と、
前記カメラ（１４）が撮影している画像を取り込み指示の入力に基づいて静止画像として取り込む画像取込手段（２１）と、
画像を合成する際に使用するレイアウトが保存されたレイアウト保存手段（４１、４２）と、
前記画像入力手段（１１）が取り込んだ静止画像と前記画像取込手段（２１）が取り込んだ静止画像とを指示されたレイアウトに従って合成する合成手段（２０）と、
前記合成手段（２０）で合成して得た合成画像を出力する出力手段（５０）と、
これらの動作を制御する制御手段（７０）とを備え、
前記制御手段（７０）は、前記レイアウト保存手段（４１、４２）に保存されている所定のレイアウトを用いて画像を合成する旨の実行指示の入力に基づいて、前記画像取込手段（２１）によって前記カメラ（１４）から静止画像を取り込み、かつ前記画像入力手段（１１）で静止画像を取り込み、この静止画像と前記カメラ（１４）から取り込んだ静止画像とを前記所定のレイアウトに従って前記合成手段（２０）で合成し、その合成画像を前記出力手段（５０）によって出力するまでの一連の動作を実行する
ことを特徴とする画像形成装置である。
【００１９】
上記発明によれば、レイアウト保存手段（４１、４２）に保存されている所定のレイアウトを用いて画像を合成する旨の実行指示を入力することで、各画像の取り込みから合成・出力までの一連の動作が実行される。写真入りの会員カードを作成する場合のように使用するレイアウトが予め決まっているときは、取り込んだ画像を確認しながらレイアウトを設定変更する作業は不要になる。そこで、実行指示の入力操作のみで、各画像の取り込みから合成・出力までの一連の動作が連続的に自動実行される。
【００２０】
カメラ（１４）が撮影中の画像を静止画像として取り込むタイミングは、実行指示が入力された時点にするとよい。実行指示の入力操作時がシャッタータイミングになるので、使用者は撮影中の画像を画面で確認しながら好みのタイミングで実行指示を入力することで、意図したカメラ画像を合成画像に含めることが可能になる。なお、カメラ（１４）が撮影中の画像を静止画像として取り込むタイミングは、実行指示を入力してから規定時間の経過後としてもよい。たとえば、実行指示を入力した時点からランプの点滅などによってカウントダウンが始まり、タイムアップ時に画像が取り込まれるように構成してもよい。
【００２１】
請求項５に係る発明は、静止画像を取り込む画像入力手段（１１）と、
前記画像入力手段（１１）によって静止画像を取り込む動作を含む所定のジョブを実行するジョブ実行手段（７０）と
前記ジョブの実行指示を受け付ける実行指示受付手段（１２）と、
カメラ（１４）と、
前記実行指示受付手段（１２）がジョブの実行指示を受け付けたとき、前記カメラ（１４）で撮影し、かつ前記ジョブの実行過程で前記画像入力手段（１１）が取り込んだ静止画像と前記カメラ（１４）で撮影した静止画像とを互いに関連付けて保存する保存手段（６０）と、
を有する
ことを特徴とする画像形成装置である。
【００２２】
上記発明によれば、画像入力手段（１１）によって静止画像を取り込む動作を含むジョブの実行指示を受けたとき、操作者等をカメラ（１４）で撮影し、このカメラ画像とジョブの実行に係る静止画像とが関連付けて保存される。たとえば、カメラ画像の画像データを保存したファイル名とジョブの実行に係る静止画像の画像データを保存したファイル名とが関連付けて記憶される。ジョブに係る静止画像とそのジョブの操作者の画像とを関連付けて保存することで、機密文書の不正コピーなどに対するセキュリティを高めることができる。カメラ（１４）は１台または複数台のいずれであってもよい。保存された画像は、所定期間の経過後に自動消去したり、保存画像が所定枚数を超えたときや記憶容量が規定値を超えた場合に、その超えた分につき古いものから順に自動消去したりするとよい。
【００２３】
請求項６に係る発明は、静止画像を取り込む画像入力手段（１１）と、
前記画像入力手段（１１）によって静止画像を取り込む動作を含む所定のジョブを実行するジョブ実行手段（７０）と
前記ジョブの実行指示を受け付ける実行指示受付手段（１２）と、
カメラ（１４）と、
前記実行指示受付手段（１２）がジョブの実行指示を受け付けたとき、前記カメラ（１４）で撮影し、かつ前記ジョブの実行過程で前記画像入力手段（１１）が取り込んだ静止画像と前記カメラ（１４）で撮影した静止画像とを合成する合成手段（２０）と、
前記合成手段（２０）の出力する合成画像を保存する保存手段（６０）と、
を有する
ことを特徴とする画像形成装置である。
【００２４】
上記発明によれば、ジョブの実行指示を受けたとき、操作者等をカメラ（１４）で撮影し、このカメラ画像とジョブの実行に係る静止画像とを合成した合成画像が保存される。１枚の合成画像にジョブの実行に係る静止画像とそのジョブの操作者の画像とが合成されるので、これらの対応関係の確認が迅速・容易になる。合成時のレイアウトは予め定めたものを使用しても、ジョブに係る静止画像を解析してレイアウトを自動設定するようにしてもよい。たとえば、余白部分を特定してそこにカメラ画像を合成する等である。
【００２５】
請求項７に係る発明は、前記カメラ（１４）は、当該装置の操作者を撮影するものである
ことを特徴とする請求項５または６に記載の画像形成装置である。
【００２６】
上記発明によれば、カメラ（１４）は当該装置の操作者を撮影する。カメラ（１４）は操作者に気付かれないように設置するとよい。また操作者の顔や背格好を複数の方向（正面、左右斜め前方など）から撮影するように複数台のカメラ（１４）を設置すると操作者の特定が容易になる。
【００２７】
請求項８に係る発明は、前記画像入力手段（１１）が、１次元撮像素子を走査させて２次元画像を取り込むスキャナ装置である
ことを特徴とする請求項１、２、３、４、５、６または７に記載の画像形成装置である。
【００２８】
上記発明によれば、原稿画像などを高解像度で取り込むことができる。
【発明の効果】
【００２９】
本発明に係る画像形成装置によれば、画像入力手段が取り込んだ静止画像とカメラが撮影中の画像とを指定のレイアウトに従って逐次合成し、かつその合成画像を逐次表示するので、操作者は表示された合成画像を確認しながら、合成画像を静止画像として取り込むタイミングを指示することができる。撮影済みの画像を合成する場合には希望の合成画像を取得するまでに撮影・合成・確認という作業を何度も繰り返す場合が生じるが、本発明では合成画像を確認しながら撮影できるので１度の作業で希望の合成画像を取得できる場合が増え、作業負担が軽減される。また予めカメラで撮影した画像データを用意する必要がないので前準備の手間が少なくなる。
【００３０】
画像入力手段が取り込んだ静止画像にカメラで撮影した画像を合成する際のレイアウトの設定変更を、画像入力手段が取り込んだ静止画像を背景にして現在のレイアウトを表示しながら受け付けるものでは、合成画像の背景になる静止画像の上でカメラ画像の合成位置や大きさを確認しつつレイアウトを設定変更できるので、的確・迅速なレイアウト設定が可能になる。
【００３１】
レイアウト設定手段によって設定したレイアウトをレイアウト保存手段で保存し、これを後に再利用し得るものでは、同一のレイアウトを用いる場合に改めてレイアウトを設定する必要がなく、作業負担が軽減される。
【００３２】
レイアウト保存手段に保存されている所定のレイアウトを用いて画像を合成する旨の実行指示を入力すると、各画像の取り込みから合成・出力までの一連の動作を連続的に自動実行するものでは、写真入りの会員カードを作成する場合のように同じレイアウトを用いて何度も合成画像を作成する際の作業負担が軽減される。
【００３３】
ジョブの実行指示を受けたとき、その操作者等をカメラで撮影し、このカメラ画像とジョブの実行に係る静止画像とを関連付けて保存するものでは、ジョブに係る静止画像とそのジョブの操作者との対応を後から確認し得るので、機密文書の不正コピーなどに対するセキュリティを高めることができる。特に１枚の合成画像にジョブの実行に係る静止画像とそのジョブの操作者の画像とを合成して保存するものでは、ジョブに係る静止画像とそのジョブの操作者との対応関係の確認が迅速・容易になる。
【００３４】
画像入力手段として１次元撮像素子を走査させて２次元画像を取り込むスキャナ装置を用いるものでは、原稿画像などを高解像度で取り込むことができる。
【発明を実施するための最良の形態】
【００３５】
以下、図面に基づき本発明の実施の形態を説明する。
【００３６】
図２は、本発明の実施の形態に係る画像形成装置１０の概観を示している。画像形成装置１０、スキャナ部１１に載置された原稿を読み取り、その複製画像を記録紙上に形成するコピー機能を備えた複写機として構成されている。画像形成装置１０は、各種の操作スイッチが配列された操作部１２と、大型の表示部１３と、複数のカメラ１４ａ〜１４ｃとを有している。
【００３７】
画像形成装置１０は、通常のコピー機能のほか、スキャナ部１１にセットされた原稿画像と第１から第ｎまでのカメラ１４によって撮影したカメラ画像とを合成し、この合成画像を記録紙上に形成して出力する機能を有する。また、合成の際に用いるレイアウトを設定したり、設定されたレイアウトを保存したり、保存されているレイアウトを再利用して画像を合成したりする機能を有している。これらの機能を利用することで、たとえば、予め写真を用意することなくその場で顔写真付の会員カードを作成することができる。
【００３８】
画像入力手段としてのスキャナ部１１は、１次元撮像素子（ラインイメージセンサ）をプラテンガラスの下面に沿ってそのライン方向（主走査方向）と直角方向（副走査方向）に移動させることでプラテンガラス上に載置された原稿の画像を読み取るものである。表示部１３は、液晶ディスプレイで構成されている。プラズマディスプレイやＣＲＴディスプレイなどであってもよい。
【００３９】
カメラ１４ａ〜１４ｃは、ＣＣＤなどの２次元撮像素子とその受光面に被写体の像を結像させる光学系とから構成されている。表示部１３の近傍に配置された第１カメラ１４ａは、操作者を正面から撮影するようにセッティングしてある。第２カメラ１４ｂは、画像形成装置１０の側壁から伸びる自在に湾曲可能な腕の先端に取り付けてある。操作者は第２カメラ１４ｂの向きを適宜変更することができる。第３カメラ１４ｃはその存在が利用者に分からない隠しカメラになっている。操作部１２に埋め込まれた第３カメラ１４ｃは、図示省略のコピースタート釦を押下する操作者の顔が撮影できるようにセッティングされている。カメラの台数は図２に例示した数に限定されず、いくつであってもよい。
【００４０】
図１は、画像形成装置１０の電気的構成を示すブロック図である。画像形成装置１０は、スキャナ部１１と、操作部１２と、表示部１３と、第１から第ｎまでのカメラ１４と、画像合成部２０と、画像編集部３０と、データ保存部４０と、画像印刷部５０と、合成画像保存部６０と、制御部７０とを有している。制御手段としての制御部７０は、画像形成装置１０の動作を統括制御する機能を果たし、ＣＰＵ（中央処理装置）とＲＯＭ（リード・オンリ・メモリ）とＲＡＭ（ランダム・アクセス・メモリ）とを主要部とする回路で構成される。またコピー動作など各種のジョブに実行を制御するジョブ実行手段としての機能を果たす。
【００４１】
合成手段としての画像合成部２０は、第１から第ｎまでのカメラ１４の撮影画像とスキャナ部１１で取り込んだ原稿画像とを指定されたレイアウトに従って合成した合成画像を生成する機能を果たす。画像合成部２０は、画像取込手段２１と一時データ保存部２２としての機能を備えている。画像取込手段２１は、操作部１２から取り込み指示が入力されたときにその時点の合成画像を静止画像として取り込む機能や第１から第ｎまでのカメラ１４が撮影中の画像を操作部１２から取り込み指示が入力された時点で静止画像として取り込む機能を果たす。取り込んだ静止画像は一時データ保存部２２に一時記憶される。
【００４２】
画像編集部３０は、合成する画像のレイアウトを設定したり、画像に各種の加工を施したりする機能を果たす。画像編集部３０のレイアウト設定手段３１は、画像合成部２０が画像を合成する際に用いるレイアウトの設定や変更を操作者から受け付ける機能を果たす。スキャナ部１１から取り込んだ静止画像を背景にした現在のレイアウトを表示部１３にリアルタイムで表示しながら、当該レイアウトの設定変更操作を操作者から受け付けるようになっている。背景画像一時保存部３２は、スキャナ部１１で読み取った原稿画像を合成画像の背景画像として一時保存する機能を果たす。
【００４３】
データ保存部４０は、レイアウト設定手段３１で設定したレイアウトを保存するレイアウト保存部４１と、各レイアウトに対応する背景画像を保存する背景画像保存部４２とを有する。出力手段としての画像印刷部５０は、画像を記録紙上に形成して出力する機能を果たす。保存手段としての合成画像保存部６０は、画像合成部２０が合成した合成画像を保存する機能を果たす。データ保存部４０や合成画像保存部６０は、ハードディスク装置などの大容量補助記憶装置で構成される。
【００４４】
図３は、その場でレイアウトを設定して合成画像を作成する際の動作を示している。ここでは、正面と側面の顔写真が入った会員カードを作成する場合を例に説明する。図４は、写真を入れる前の会員カードの一例を示している。この会員カード原稿２０１には、会員の氏名や住所が記入されている。また写真を入れるための空白部分が予め設けてある。会員カード原稿２０１は、会員の顔写真と合成する際に背景となる原稿画像である。
【００４５】
操作者は、会員カード原稿２０１など合成画像の背景となる原稿をスキャナ部１１にセットし、図示省略のスタートスイッチを操作して画像の取り込み指示を入力する。画像の取り込み指示が入力されると、プラテンガラス上にセットされている背景の原稿画像（背景画像）をスキャナ部１１が読み取り（ステップＳ１０１）、その画像データを一時データ保存部２２および背景画像一時保存部３２に保存する（ステップＳ１０２）。また読み取った背景画像を表示部１３に表示する（ステップＳ１０３）。
【００４６】
次に、ユーザ操作に基づいてレイアウトの設定が行なわれる（ステップＳ１０４）。図５は、レイアウト設定画面２１０の一例を示している。レイアウト設定では、合成領域の位置や大きさの指定とその合成領域にはめ込む画像の入力元の指定を合成領域毎に行なうようになっている。図５は、第１の合成領域２１１に係る設定が終了し、第２の合成領域２１２に係るレイアウト設定を行なっている状態を示している。先にスキャナ部１１で読み取った原稿画像が背景画像としてレイアウト設定画面２１０に表示され、合成領域がその上に重ねて表示される。設定中の合成領域は、点滅表示などにより識別可能に表示される。
【００４７】
レイアウトの設定操作は次のようにして行なわれる。「新規作成釦」を押下すると新たな第２の合成領域２１２がレイアウト設定画面２１０に表示された背景画像の上に現れる。この合成領域の移動は操作部１２に設けた上下左右の「矢印釦」で行ない、拡大縮小は「拡大釦」や「縮小釦」の操作で行なう。合成領域にはめ込む画像の入力元の指定はカメラの番号を「テンキー」から入力することで行なう。「確定釦」を操作すると合成領域の位置と大きさおよび画像の入力元が確定し、必要な合成領域のすべてについて設定した後に「ＯＫ釦」を操作することでレイアウトの設定が完了する。このように原稿画像が背景として合成領域がその上に重ねて表示されたレイアウト設定画面２１０を見ながらリアルタイムにレイアウトの設定変更ができるので、的確なレイアウト設定を迅速に行なうことができる。
【００４８】
レイアウト設定が完了するとそのレイアウトがレイアウト保存部４１に保存される（ステップＳ１０５）。またそのレイアウトを設定するときに用いた背景画像が当該レイアウトと対応付けて背景画像保存部４２に保存される。設定したレイアウトに名前を付けることが可能になっている。また既に保存されているレイアウトをその名前等で呼び出して再利用することが可能になっている。図６は、図４の会員カード原稿２０１に対応付けてレイアウト保存部４１に保存されたレイアウトの一例である。第１の合成領域２１１と第２の合成領域２１２のそれぞれについて位置・大きさ・画像の入力元のカメラ番号が登録されている。合成領域の位置は、たとえばレイアウト枠２２０の左下を原点としたＸＹ座標で表わされる。
【００４９】
レイアウトの設定・保存が完了すると、画像合成部２０がこのレイアウトに従って合成した合成画面が表示部１３に表示される（ステップＳ１０６）。図７は、合成画面２３０の一例を示している。この例では、第１カメラ１４ａが現在撮影中の画像が第１の合成領域２１１にリアルタイムで表示され、第２カメラ１４ｂが現在撮影中の画像が第２の合成領域２１２にリアルタイムに表示される。操作者は、表示部１３に表示された合成画面２３０を見ながらポーズを決めたり、第２カメラ１４ｂの位置を調整したりすることができる。
【００５０】
操作者が図示省略の「取り込み釦」を操作して画像の取り込み指示が入力されると（ステップＳ１０７；Ｙ）、画像取込手段２１はその時点での合成画像を静止画像として取り込み、これを一時データ保存部２２に保存する（ステップＳ１０８）。また取り込まれた合成画像の静止画像が表示部１３に表示される（ステップＳ１０９）。操作者は、表示部１３に表示された画像を確認し、これでよければ図示省略の「印刷釦」を操作する。「印刷釦」の操作によって印刷指示が入力されると（ステップＳ１１０；Ｙ）、画像合成部２０は、静止画像として取り込んだ合成画像の画像データを画像印刷部５０に送る。画像印刷部５０は、この画像データに基づいて取り込んだ合成画像の静止画像を記録紙上に印刷して出力する（ステップＳ１１１）。
【００５１】
このように合成結果を表示部１３で確認しながら被写体を撮影することができるので、希望の仕上がりの合成画像を容易に取得することができる。また予めカメラで撮影した画像データを用意する必要がなく、合成画像作成のための前準備の負担が軽減される。
【００５２】
次にデータ保存部４０に保存されているレイアウトを用いて合成画像を作成する場合について説明する。このモードによる合成画像の作成は、たとえば、写真入り会員カードのように使用するレイアウトは毎回同一であるが、会員の住所氏名などの記載や原稿に嵌め込む写真が毎回異なるようなものを作成する場合に便利である。
【００５３】
図８は、データ保存部４０に保存されているレイアウトを用いて合成画像を作成する場合の動作の流れを示している。操作者が、保存されているレイアウトの中から今回使用するものをレイアウト名などで指定すると（ステップＳ３０１）、画像合成部２０は、指定されたレイアウトをデータ保存部４０のレイアウト保存部４１から読み出すとともに、このレイアウトに対応付けられている背景画像をデータ保存部４０の背景画像保存部４２から読み出す。そして、この背景画像の上に指定されたレイアウトに従ってカメラ画像を合成した合成画像を表示部１３に表示する（ステップＳ３０２）。たとえば、図６のレイアウトを用いる場合には、このレイアウトに対応付けて登録されている図２の背景画像を用いて、図７に示すような合成画像を表示部１３に表示する。第１の合成領域２１１や第２の合成領域２１２には現在のカメラ画像がリアルタイムで合成表示される。
【００５４】
次に操作者は今回の合成画像の背景画像になる原稿をスキャナ部１１にセットし（ステップＳ３０３）、表示部１３に表示されている合成画像に含まれるリアルタイムのカメラ画像を見ながらポーズを決めたりカメラ位置を調整したりする。合成画像が適当になったとき操作者が図示省略の「コピースタート釦」を操作すると（ステップＳ３０４；Ｙ）、画像合成部２０の画像取込手段２１が現時点のカメラ画像を静止画像として取り込み、これを一時データ保存部２２に保存する（ステップＳ３０５）。さらにスキャナ部１１で原稿画像を静止した背景画像として読み取り、これを画像編集部３０の背景画像一時保存部３２に保存する（ステップＳ３０６）。
【００５５】
画像合成部２０は、背景画像一時保存部３２に保存した背景画像と一時データ保存部２２に保存したカメラ画像とを先のレイアウトに従って合成した合成画像を作成しこれを表示部１３に表示する（ステップＳ３０７）。またこの合成画像を記録紙上に印刷して出力する（ステップＳ３０８）。
【００５６】
このようにリアルタイムのカメラ画像と既存の背景画像との合成画像を表示部１３で目視確認しながら適当なタイミングで「コピースタート釦」を操作するだけで合成画像の取り込みから印刷完了までの一連の動作が自動実行されるので、操作が簡略化されて利便性が高まる。なお、「コピースタート釦」が操作される前に表示部１３に表示する合成画像の背景画像として今回のレイアウトに対応付けて保存されている背景画像を用いたが、レイアウトに変更がないので、実際に今回の合成画像に用いる原稿を背景画像にしたものを表示しなくても仕上がりを確認する上で問題はない。
【００５７】
なお保存されているレイアウトを呼び出した後、このレイアウトの設定変更操作を可能に構成してもよい。これにより既存のレイアウトを土台としてレイアウトを微調整することができ、最初からレイアウトを構成する場合に比べてレイアウト設定の作業負担が軽減する。
【００５８】
図９は、合成画像を自動的に保存する場合の流れを示している。ジョブとしてコピー動作を実行する場合を例に説明する。操作者が実行指示受付手段としての「コピースタート釦」を操作すると（ステップＳ４０１；Ｙ）、カメラ撮影を実行する（ステップＳ４０２）。ここでは、第３カメラ１４ｃのような隠しカメラで操作者を撮影する。操作者の顔や全身を正面、側面など複数の方向から撮影するとよい。また「コピースタート釦」の操作に応じてスキャナ部１１で原稿画像を読み取る（ステップＳ４０３）。画像合成部２０は、スキャナ部１１で読み取った原稿画像とカメラで撮影した静止画像とを合成した合成画像を作成し、これを合成画像保存部６０に保存する（ステップＳ４０４）。一方、スキャナ部１１で読み取った原稿画像に対応する複製画像が画像印刷部５０で印刷する。印刷されたものにカメラ画像は合成されていない。
【００５９】
図１０は、スキャナ部１１で読み取った原稿４２０の一例を、図１１は、保存される合成画像４２２の一例を示している。保存される合成画像４２２にはカメラ画像４２３を合成するが、画像印刷部５０が出力する記録紙上の画像は図１０に示した原稿４２０と同一画像になっている。このようにジョブに係る原稿とその操作者の写真とを合成した画像を合成画像保存部６０に保存するので、機密原稿の不正コピーなどに対するセキュリティが向上する。また隠しカメラで撮影しているので、カメラのレンズを手で塞ぐなどの行為を防ぐことができる。
【００６０】
合成時のレイアウトは予め定めたものが用いられる。たとえば、原稿画像を背景画像としこれにカメラ画像を重ね合わせたり、原稿画像を縮小することで生じた余白部分にカメラ画像を合成したりするとよい。また原稿画像の余白部分を画像解析によって検出し、その部分にカメラ画像を合成するようにレイアウトを動的に変更してもよい。合成画像には、画像形成装置１０の装置番号や日時情報を付加してもよい。
【００６１】
原稿が複数枚の場合には、１ページ目とカメラ画像とを合成したものを保存してもよいし、他のページと合成したものを保存してもよい。また複数ページや原稿の全体を保存するように構成してもよい。この場合、すべてのページに画像を合成してもよいし、一部のページだけを合成画像としてもよい。
【００６２】
合成画像は、予め定めた一定期間の経過後に自動的に消去したり、保存している画像枚数が所定数を超えたときや記憶容量が所定量を超えたときに、超えた分を古いものから順に自動消去したりするようになっている。また管理者は保存されている合成画像を手動操作で消去することができる。
【００６３】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では合成画像保存部６０に合成画像を保存したが、読み取った原稿画像と撮影したカメラ画像とを関連付けて別々に記憶してもよい。
【００６４】
また実施の形態では、背景画像とカメラ画像とを逐次合成し、取り込み指示が入力された時点の合成画像を静止画像として取り込むように構成したが、取り込み指示が入力された時点でカメラ画像を静止画像として取り込み、これと予め取り込み済みの背景画像とを指定のレイアウトに従って合成するものであってもよい。
【００６５】
また実施の形態では、合成画像を記録紙に印刷して出力するように構成したが、合成画像の画像データを特定の記録媒体や通信回線を通じて所定の宛先に電子データとして出力してもよい。
【図面の簡単な説明】
【００６６】
【図１】本発明の実施の形態に係る画像形成装置の構成を示すブロック図である。
【図２】本発明の実施の形態に係る画像形成装置の概観を示す斜視図である。
【図３】本発明の実施の形態に係る画像形成装置によりその場でレイアウトを設定して合成画像を作成する際の動作を示す流れ図である。
【図４】写真を入れる前の会員カードの一例を示す説明図である。
【図５】本発明の実施の形態に係る画像形成装置の表示部に表示されるレイアウト設定画面の一例を示す説明図である。
【図６】図４の会員カード原稿に対応付けてレイアウト保存部に保存されたレイアウトの一例を示す説明図である。
【図７】本発明の実施の形態に係る画像形成装置の表示部に表示される合成画面の一例を示す説明図である。
【図８】データ保存部に保存されているレイアウトを用いて合成画像を作成する場合の動作を示す流れ図である。
【図９】原稿と自動撮影したカメラ画像との合成画像を自動保存する場合のコピー動作を示す流れ図である。
【図１０】スキャナ部で読み取った原稿の一例を示す図である。
【図１１】保存される合成画像の一例を示す図である。
【符号の説明】
【００６７】
１０…画像形成装置
１１…スキャナ部
１２…操作部
１３…表示部
１４、１４ａ〜１４ｃ…カメラ
２０…画像合成部
２１…画像取込手段
２２…一時データ保存部
３０…画像編集部
３１…レイアウト設定手段
３２…背景画像一時保存部
４０…データ保存部
４１…レイアウト保存部
４２…背景画像保存部
５０…画像印刷部
６０…合成画像保存部
７０…制御部
２０１…会員カード原稿
２１０…レイアウト設定画面
２１１…第１の合成領域
２１２…第２の合成領域
２２０…レイアウト枠
２３０…合成画面
４２０…読み取った原稿
４２２…保存される合成画像
４２３…カメラ画像
【図１】
2005086385.tif 000003
【図２】
2005086385.tif 000004
【図３】
2005086385.tif 000005
【図４】
2005086385.tif 000006
【図５】
2005086385.tif 000007
【図６】
2005086385.tif 000008
【図７】
2005086385.tif 000009
【図８】
2005086385.tif 000010
【図９】
2005086385.tif 000011
【図１０】
2005086385.tif 000012
【図１１】
2005086385.tif 000013